(57)【要約】【課題】従来、粉塵を含んだガス（排ガス）の集塵を意図し、このマルチサイクロンの採用及び／又はガス流量を微細に調整するマルチサイクロン方式の集塵装置がある。この集塵装置は、極めて精緻で、かつ正確な操作を要することから、本発明が意図する加工機からのオイルミストをランダムに受け入れて処理するオイルミストコレクターには馴染まない構成である。【構成】吸込口、排気口、複数の廃棄ボックスを備えた本体内に、加工機からのオイル、切粉等の汚染物質を含んだ空気の通過を許す多数の孔を備えた第一処理をする衝突板と、第一処理済の空気に第二処理をする適宜間隔で設けた一枚又は複数枚の多孔板と、第二処理済の空気に最終処理をする複数のサイクロンと、最終処理済の清澄空気を排出する排気口を備えたチャンバーで構成したサイクロン式オイルミストコレクターの処理装置である。【選択図】図１
2007098339.tif 000002
【特許請求の範囲】
【請求項１】
吸込側に吸込口を、排気側に排気口を、又は底部にオイル、切粉等の異物を溜める廃棄ボックスをそれぞれ備えた本体内に、順次、次の部材を配備する構成としたサイクロン式オイルミストコレクターの処理装置であって、
前記吸込側の吸込口より吸込んだ加工機からのオイル及び／又は切粉等の汚染物質を含んだ空気の通過を許す多数の間隔を備えた第一の処理をする衝突板と、この第一の処理済の空気に第二の処理をする適宜間隔で設けた一枚又は複数枚の多孔板と、この第二の処理済の空気に最終の処理をする複数のサイクロンと、この最終の処理済の清澄空気を排出する前記排気口側に設けたチャンバーと、このチャンバーに連通する前記排気口で構成したサイクロン式オイルミストコレクターの処理装置。
【請求項２】
請求項１に記載の複数枚の多孔板の中間に空気帯域として機能する空間を設ける構成としたサイクロン式オイルミストコレクターの処理装置。
【請求項３】
請求項１に記載のサイクロンは、内外側サイクロン方式を採用し、外側サイクロンの壁面の下側に絞り部を設けるとともに、その上側の接線方向に吸込口を開設し、また内側サイクロンの下端にオイル排出口を開設するとともに、その上端に設けた集束管を介して清澄空気排出口を開設する構成したサイクロン式オイルミストコレクターの処理装置。
【請求項４】
請求項１に記載の衝突板は、平面視して略山形鋼の衝突板材を適宜間隔をおいて順次併設し、これに隣接して同形状の衝突板材を設け、少なくともこの隣接して設けた衝突板材を、前記間隔を蔽うようにして立設する構成としたサイクロン式オイルミストコレクターの処理装置。
【請求項５】
請求項１に記載の吸込側に設けた吸込口は、本体の排気側に設けた排気口に対して、底部に近い位置に設ける構成としたサイクロン式オイルミストコレクターの処理装置。
【請求項６】
請求項１に記載の吸込側に設けた吸込口と、排気側に設けた排気口を平面視して、略直線状に配備する構成としたサイクロン式オイルミストコレクターの処理装置。
【発明の詳細な説明】
【技術分野】
【０００１】
本発明は、ブロアを設置及び／又は接続可能とした単独式のサイクロン式オイルミストコレクターの処理装置に関する。
【背景技術】
【０００２】
従来のこの種のオイルミストコレクターは、主として、本体ケーシング内に、順次、衝突板及び／又は捕捉板と、多数のフィルターを積層し、その後に高精度のフィルター（業界名：へパフィルター等）を設け、その後部に吸引手段（ブロア）を設ける構成であり、この本体ケーシングに開設した吸込口より、加工機からの汚染空気（粉塵、切粉等の浮遊粒子状物質、オイルミスト等を含む空気）を、衝突板（及び／又は捕捉板）で微粒子に拡散かつ比重分離（油滴化）し、積層した多数のフィルターで、さらに濾過分離した後、高精度のフィルター及び／又は捕捉板を介して確実に油滴化及び／又は分離を図り、オイルの捕捉と、清澄空気を生成し、この清澄空気を本体ケーシングの排気口より本体外に排気する流れとなっている。この中で、従来、次のような先行発明が挙げられる。発明（１）の気相流体の流れに工夫を凝らした脱臭機能を備えたことを特徴とする特開平１１−２８５６１１号の「除塵・脱臭装置」がある。また発明（２）のフィルターの位置を適宜変更可能とすることで、このフィルターの交換の容易化を図ったことを特徴とする特開平１０−２１６４３７号の「オイルミスト除去装置」がある。しかし、この種の発明（１）、（２）は、フィルターを主体とすることから、例えば、目詰まりの発生及び／又は性能低下等の回避を図るための保守管理が大変であること、またこのフィルターの後処理に経費を要すること、さらにこのフィルターの後処理に伴った環境破壊等の問題があること等があり、その解決が急務と考えられる。
【０００３】
以上のことから、この目詰まりの解消、保守管理の容易化等の如く、メンテナンスフリーと云われるオイルミストコレクターが市販されている。その一例を説明すると、文献（１）は平成１３年８月１７日付け公開の特開２００１−２２１２００であって、この発明の名称は、「浮遊粒子状物捕捉装置」である。この発明は、モータ駆動により回転する捕捉吸気ファンを備えた浮遊粒子状物捕捉装置であって、この浮遊粒子状物捕捉装置は、吸込側より排気側に向かって順次設けられた、ルーバ形の気流衝突板と、金属網製の金属メッシュフィルターが配設されると共に、金属メッシュフィルターに洗浄水を噴射するフィルター洗浄用ノズルが設けられた吸込側に配設され前段での濾過を図る前段フィルター装置と、ファンフィルターと、その後方に設けた円板形の前後板間に多数のフィンを放射状に配置し、このフィン間に多数の捕捉ワイヤを植設してなる凝集捕捉ファン装置とで構成する。その特徴は、前段フィルター装置の金属メッシュフィルターに洗浄水を噴射するフィルター洗浄用ノズルが設けたことで、フィルターの目詰まりを防止して、浮遊粒子状物質を良好に捕捉できる浮遊粒子状物捕捉装置の提供である。
【０００４】
また本出願人は、ミストと浮遊粒子状物の分離を図りつつ、空気の清澄化及び／又は加工液の有効利用を図るためには、今までの概念を捨てた新しい、機構を組み入れる必要性直感し、サイクロン方式を提案する。このサイクロン方式を採用する分離機構としては、次に挙げる文献（２）は平成７年１１月７日付け公開の特開平７−２８９９５１号であって、この発明の名称は、「サイクロンフィルタ」である。この発明は、共通の入口室と、共通の分離室を備えた多数の個別のサイクロン部材を備え、かつこの入口室とサイクロン部材のスワール室との間にそれぞれ各２つの接線方向の供給小管部を設け、またこのサイクロン部材が共通の分離室の壁を含めて鏡像の原理による高度な対称性が得られるように配置した構成であり、その特徴とする処は、コスト上において許容可能な構成であり、しかも含塵ガスから約１μｍよりも小さな粒子径までの粒子を分離することが可能な構成のサイクロンフィルタを提案することを意図する。また文献（３）は平成９年１月２１日付け公開の特開平９−１９６４８号であって、この発明の名称は、「集塵装置」である。この発明は、粉塵を含むガスの入口を有する荒ガス室にガスが流入する粉塵分離手段と、粉塵分離手段からの清浄ガスが流入する清浄ガス室と、清浄ガス室の清浄ガスを外部に取出す清浄ガスダクトとを備えた集塵装置であって、この荒ガス室と清浄ガスダクトとを連通するガス通路を設け、ガス通路にダンパーを設けた構成であり、その特徴とする処は、従来の問題であった、例えば、ガス通過量が最大時よりも少なくなるマルチサイクロンセル内ガスの旋回流速の遅速化を回避し、また斜管部等での灰の詰まりと、堆積の発生を回避することを意図する。さらにこの集塵装置の小型化と、集塵機能を高めること等も意図する。
【０００５】
【特許文献１】特開２００１−２２１２００
【特許文献２】特開平７−２８９９５１号
【特許文献３】特開平９−１９６４８号
【発明の開示】
【発明が解決しようとする課題】
【０００６】
文献（１）は、前段フィルター装置の金属メッシュフィルターに洗浄水を噴射するフィルター洗浄用ノズルを設けたことで目詰まりの解消を図る構成であり、それなりの効果が期待できる。しかし、この水の処理のために、新たな装置が必要となり、構造の複雑化と、メンテナンスの困難性が考えられ、使用に際して躊躇せざるを得ないものと考えられる。またこの文献（１）は、円板形の前後板間に多数のフィンを放射状に配置し、このフィン間に多数の捕捉ワイヤを植設してなる構成である。従って、構造の複雑化と、コストの上昇とメンテナンスの困難性が考えられ、使用に際して躊躇せざるを得ないものと考えられる。
【０００７】
次に文献（２）は、共通の入口室を有することから、装置の形状が限定されるものと考えられ、汎用性に欠けると考えられるとともに、本発明が意図する衝突板、フィルター等との組合せにおいて、採用するには問題がある。またこの文献（２）は、供給小管部、スワロール室等の複数の規制箇所を備えた構成であることから、本発明が意図するオイルミストと浮遊粒子状物質の分離、捕捉等を図るには、問題を残すものと考えられる。
【０００８】
さらに文献（３）は、マルチサイクロン方式であって、粉塵を含んだガス（排ガス）の集塵を意図し、このマルチサイクロンの採用及び／又はガス流量を微細に調整する構成である。従って、極めて精緻で、かつ正確な操作を要することから、本発明が意図する加工機からのオイルミストをランダムに受け入れて処理するオイルミストコレクターには馴染まない構成である。
【課題を解決するための手段】
【０００９】
請求項１の発明は、フィルターレスのオイルミストコレクターの処理装置を提案し、このオイルミストコレクターの処理装置を提案することで、フィルターの処理に纏わる種々の弊害の解消と、環境保護、又は資源の有効利用を図ることを意図する。また加工機からの汚染空気（処理対象の空気）を、分離処理し、浮遊粒子状物の捕捉及び／又はオイルの回収を図り、清澄空気の生成と、回収したオイルの再利用を図ることを意図する。
【００１０】
請求項１は、吸込側に吸込口を、排気側に排気口を、又は底部にオイル、切粉等の異物を溜める廃棄ボックスをそれぞれ備えた本体内に、順次、次の部材を配備する構成としたサイクロン式オイルミストコレクターの処理装置であって、
前記吸込側の吸込口より吸込んだ加工機からのオイル及び／又は切粉等の汚染物質を含んだ空気の通過を許す多数の間隔を備えた第一の処理をする衝突板と、この第一の処理済の空気に第二の処理をする適宜間隔で設けた一枚又は複数枚の多孔板と、この第二の処理済の空気に最終の処理をする複数のサイクロンと、この最終の処理済の清澄空気を排出する前記排気口側に設けたチャンバーと、このチャンバーに連通する前記排気口で構成したサイクロン式オイルミストコレクターの処理装置である。
【００１１】
請求項２の発明は、請求項１の目的を達成すること、この目的を達成するのに最適な空気帯域を確保すること等を意図する。
【００１２】
請求項２は、請求項１に記載の複数枚の多孔板の中間に空気帯域として機能する空間を設ける構成としたサイクロン式オイルミストコレクターの処理装置である。
【００１３】
請求項３の発明は、請求項１の目的を達成すること、この目的を達成するのに最適な並列式のサイクロンを提供すること等を意図する。
【００１４】
請求項３は、請求項１に記載のサイクロンは、内外側サイクロン方式を採用し、外側サイクロンの壁面の下側に絞り部を設けるとともに、その上側の接線方向に吸込口を開設し、また内側サイクロンの下端にオイル排出口を開設するとともに、その上端に設けた集束管を介して清澄空気排出口を開設する構成したサイクロン式オイルミストコレクターの処理装置である。
【００１５】
請求項４の発明は、請求項１の目的を達成すること、この目的を達成するのに最適な衝突板を提供すること等を意図する。
【００１６】
請求項４は、請求項１に記載の衝突板は、平面視して略山形鋼の衝突板材を適宜間隔をおいて順次併設し、これに隣接して同形状の衝突板材を設け、少なくともこの隣接して設けた衝突板材を、前記間隔を蔽うようにして立設する構成としたサイクロン式オイルミストコレクターの処理装置である。
【００１７】
請求項５は、請求項１の目的を達成すること、この目的を達成するのに最適な吸込口及び／又は排気口を提供すること等を意図する。また汚染空気の滞留時間を確保し、より効率的な分離と捕捉を図ることを意図する。
【００１８】
請求項５は、請求項１に記載の吸込側に設けた吸込口は、本体の排気側に設けた排気口に対して、底部に近い位置に設ける構成としたサイクロン式オイルミストコレクターの処理装置である。
【００１９】
請求項６は、請求項１の目的を達成すること、この目的を達成するのに最適な吸込口及び／又は排気口を提供すること等を意図する。また汚染空気のスムースな流れを確保し、より効率的な分離と捕捉を図ることを意図する。
【００２０】
請求項６は、請求項１に記載の吸込側に設けた吸込口と、排気側に設けた排気口を平面視して、略直線状に配備する構成としたサイクロン式オイルミストコレクターの処理装置である。
【発明の効果】
【００２１】
請求項１の発明は、吸込側に吸込口を、排気側に排気口を、又は底部にオイル、切粉等の異物を溜める廃棄ボックスをそれぞれ備えた本体内に、順次、次の部材を配備する構成としたサイクロン式オイルミストコレクターの処理装置であって、
吸込側の吸込口より吸込んだ加工機からのオイル及び／又は切粉等の汚染物質を含んだ空気の通過を許す多数の間隔を備えた第一の処理をする衝突板と、第一の処理済の空気に第二の処理をする適宜間隔で設けた一枚又は複数枚の多孔板と、第二の処理済の空気に最終の処理をする複数のサイクロンと、最終の処理済の清澄空気を排出する排気口側に設けたチャンバーと、チャンバーに連通する排気口で構成したサイクロン式オイルミストコレクターの処理装置である。
【００２２】
従って、請求項１は、フィルターレスのオイルミストコレクターの処理装置を提案し、このオイルミストコレクターの処理装置を提案することで、フィルターの処理に纏わる種々の弊害の解消と、環境保護、又は資源の有効利用が図れる特徴がある。また加工機からの汚染空気（処理対象の空気）を、分離処理し、浮遊粒子状物の捕捉及び／又はオイルの回収を図り、清澄空気の生成と、回収したオイルの再利用が図れる実益がある。
【００２３】
請求項２の発明は、請求項１に記載の複数枚の多孔板の中間に空気帯域として機能する空間を設ける構成としたサイクロン式オイルミストコレクターの処理装置である。
【００２４】
従って、請求項２は、請求項１の目的を達成できること、この目的を達成するのに最適な空気帯域を確保できること等の特徴を有する。
【００２５】
請求項３の発明は、請求項１に記載のサイクロンは、内外側サイクロン方式を採用し、外側サイクロンの壁面の下側に絞り部を設けるとともに、上側の接線方向に吸込口を開設し、また内側サイクロンの下端にオイル排出口を開設するとともに、上端に設けた集束管を介して清澄空気排出口を開設する構成したサイクロン式オイルミストコレクターの処理装置である。
【００２６】
従って、請求項３は、請求項１の目的を達成できること、この目的を達成するのに最適な並列式のサイクロンを提供できること等の特徴がある。
【００２７】
請求項４の発明は、請求項１に記載の衝突板は、平面視して略山形鋼の衝突板材を適宜間隔をおいて順次併設し、これに隣接して同形状の衝突板材を設け、少なくとも隣接して設けた衝突板材を、間隔を蔽うようにして立設する構成としたサイクロン式オイルミストコレクターの処理装置である。
【００２８】
従って、請求項４は、請求項１の目的を達成できること、この目的を達成するのに最適な衝突板を提供できること等の特徴を有する。
【００２９】
請求項５の発明は、請求項１に記載の吸込側に設けた吸込口は、本体の排気側に設けた排気口に対して、底部に近い位置に設ける構成としたサイクロン式オイルミストコレクターの処理装置である。
【００３０】
従って、請求項５は、請求項１の目的を達成できること、この目的を達成するのに最適な吸込口及び／又は排気口を提供できること等の特徴を有する。また汚染空気の滞留時間を確保し、より効率的な分離と捕捉が図れる実益がある。
【００３１】
請求項６の発明は、請求項１に記載の吸込側に設けた吸込口と、排気側に設けた排気口を平面視して、略直線状に配備する構成としたサイクロン式オイルミストコレクターの処理装置である。
【００３２】
従って、請求項６は、請求項１の目的を達成できること、この目的を達成するのに最適な吸込口及び／又は排気口を提供できること等の特徴を有する。また汚染空気のスムースな流れを確保し、より効率的な分離と捕捉が図れる実益を有する。
【発明を実施するための最良の形態】
【００３３】
本発明の一例を説明する。
先ず、図面の説明をすると、図１は平面俯瞰図、図２は正面図、図３は断面図、図４は背面図を示している。
【００３４】
図１において、１は略箱形を呈する本体であり、この本体１の吸込側１００の中心（正面視して）及び／又は中間（側面視して）には吸込口２を備えている。また本体１の排気側１０１の中心（背面視して）及び／又は上方（側面視して）には排気口３を備えている。この本体１には吸込側１００から排気側１０１に向かって、次の順序で各部材が設けられている。図示しない加工機からのオイル及び／又は切粉等の汚染物質を含んだ空気の通過を許す着脱自在に設けた多数の孔を備えた第一の処理をする一枚又は複数枚の衝突板５と、この第一の処理済の空気に第二の処理をする適宜間隔で設けた一枚又は複数枚のパンチング、メッシュ、網体等の多孔板６と、この第二の処理済の空気に最終の処理をする複数のサイクロン８と、この最終の処理済の清澄空気を排出する前記排気側１０１に設けたチャンバー１０を設ける。図中１１は前処理部１ａに設けた廃棄ボックス、１２は後処理部１ｂに設けた廃棄ボックスであり、それぞれ引出し可能とするとともに、ドレン管１１ａ、１２ａを有する。
【００３５】
次に、前記各部材を詳細に説明すると、衝突板５は、吸込側１００に平面視して略山形鋼の衝突板材５００ａを適宜間隔５０１ａで順次併設し、これに隣接して排気側１０１に同形状の衝突板材５００ｂを適宜間隔５０１ｂで順次併設し設け（多数の孔を設け）、隣接して設けた衝突板材５００を、間隔５０１ａを蔽うようにして立設し、かつ前記間隔５０１ｂを吸込側１００の衝突板材５００ａの谷部に位置する構成とする。そして、この互い違いに配備した衝突板材５００ａ、５００ｂを介して汚染空気の衝突による微細粒子への拡散を図りつつ、その減速及び／又は迂回流路５０２で、油滴化の促進と、滞留時間を確保することで浮遊粒子状物の分離処理及び／又はその捕捉を図る。
【００３６】
また適宜間隔６００で着脱自在に設けた多数の孔、スリット等の空気の通過を許す手段を備えた複数の多孔板６は、この例では、二枚一組とし、その間に比較的広い間隔６０１と、狭い間隔６０２（広い間隔６０１に対して）を必要により並設又は個別に設けることで、例えば、油滴化の促進と、滞留時間を確保することで浮遊粒子状物の分離処理予備及び／又はその捕捉に役立てることもできる。そして、図示しないがこの多孔板６にはバーリング形状の多数の孔を形成し、前述の減速及び／又は迂回流路５０２で、油滴化の促進と、滞留時間を確保することで浮遊粒子状物の分離処理及び／又はその捕捉を図ることも可能である。勿論、これらの広い間隔６０１、狭い間隔６０２及び／又はバーリングを一体化して総合的な効果を達成することが望ましい。そして、汚染空気は、この複数の多孔板６を通過することで、第二の処理の処理がされるとともに、その処理済の空気は、次の第三の処理（最終の処理）をする複数のサイクロン８に送る。また分離された切粉、塵埃又はオイルの一部は、底部の廃棄ボックス１１に至り、オイルはドレン管１１ａを解して常時、所定の箇所に排出及び／又は再利用される。
【００３７】
そして、複数のサイクロン８（サイクロン８とする）は、本体１の排気側１０１の略高さ方向で、略３／２の容積とし、その上部に清澄空気の排気用のチャンバー１０を設け、この排気用のチャンバー１０の底部１０００はこのサイクロン８のサイクロン出口８００（集束管）と連通する。このサイクロン８は内外側サイクロン８ａ、８ｂとし、この外側サイクロン８ｂの隔壁８０１を介して区画されるとともに、この隔壁８０１間に第二の処理済の空気を通す通路８０２をそれぞれ形成し、かつこの通路８０２の下部に広幅の誘導拡開通路部８０２ａを形成する。ここで、第二の処理済の空気の流れを説明すると、通路８０２及び／又は誘導拡開通路部８０２ａ（主として誘導拡開通路部８０２ａ）を経由し、この外側サイクロン８ｂの隔壁８０１の上方に設けたサイクロン入口８０３を介してその接線方向から、内側サイクロン８ａに至る。この内側サイクロン８ａで最初の分離離処理及び／又は僅かに残った切粉等の捕捉と、オイルの収束が図れる。そして、このオイルは、内側サイクロン８ａのサイクロン油排出口８０４から下部の廃棄ボックス１２に回収される。
【００３８】
本発明では、汚染空気を、吸込口２よりその主体は略水平方向であって、その一部は拡散されて本体１の内面に沿って流れ、衝突板５、多孔板６を通過した後、本体１の略底部より２／３程度の高さにあるサイクロン入口８０３に到った後、本体１の排気側１０１の上部に設けたチャンバー１０を経由して排気される。従って、空気の流れは本体１内を効率的に流れ、目的とする浮遊粒子状物の分離処理予備及び／又はその捕捉に役立て得ることと、オイルの効率的な収集が可能となり、有益な装置である。
【００３９】
尚、図示しないが、排気口３にはホースを介して吸気ファン（ブロワー）に接続される。また図面の矢印は、汚染物資を含んだ空気及び／又は処理空気等の流れを示す。
【図面の簡単な説明】
【００４０】
【図１】図１は平面俯瞰図
【図２】図２は正面図
【図３】図３は断面図
【図４】図４は背面図
【符号の説明】
【００４１】
１                本体
１ａ              前処理部
１ｂ              後処理部
１００            吸込側
１０１            排気側
２                吸込口
３                排気口
５                衝突板
５００ａ          衝突板材
５００ｂ          衝突板材
５０１ａ          間隔
５０１ｂ          間隔
５０２            迂回通路
６                多孔板
６００            間隔
６０１            広い間隔
６０２            狭い間隔
８                サイクロン
８ａ              内側サイクロン
８ｂ              外側サイクロン
８００            サイクロン出口
８０１            隔壁
８０２            通路
８０２ａ          誘導拡開通路部
８０３            サイクロン入口
８０４            サイクロン油排出口
１０              チャンバー
１０００          底部
１１              廃棄ボックス
１１ａ            ドレン管
１２              廃棄ボックス
１２ａ            ドレン管
【図１】
2007098339.tif 000003
【図２】
2007098339.tif 000004
【図３】
2007098339.tif 000005
【図４】
2007098339.tif 000006